【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
後部に左右一対の支持片（３ｃ、３ｄ）を有しターンテーブル（５）を装備した再生基板（３）と、前記一対の支持片に回動自在に取付けられ回動端部でクランパ（８）を回転自在に支持すると共に、側方に延長部（９ｍ）を有するクランパ支持部材（９）と、前記再生基板の一側面に取付けられてクランパ支持部材の延長部に係合し、進退移動時にクランパ支持部材を回動させてクランパをターンテーブルに対し離接させる制御板（６）と、前記再生基板上に前記可動部材の延長部と重ねて配置された可動部材（１９）とを具備したディスク再生機において、
前記可動部材の近傍においてクランパ支持部材の延長部および再生基板のいずれか一方に相手方に向けて突出する突出部（９ｇ）を設け、クランパとターンテーブルとでディスクを挟持した状態で突出部と相手方とをほぼ接触させてクランパ支持部材の延長部と可動部材との接触を防止することを特徴とするディスク再生機。
【請求項２】
前記クランパ支持部材の延長部（９ｍ）には、前記可動部材と重なる部位を局部的に該可動部材から離れる向きに押出し形成してなる逃げ部（９ｊ）を設けたことを特徴とする請求項１に記載のディスク再生機。
【請求項３】
前記突出部の先端を円弧（９ｈ）とし、その円弧の曲率中心をクランパ支持部材の回動軸線（Ａ）上に設定したことを特徴とする請求項１または請求項２に記載のディスク再生機。
【手続補正２】
【補正対象書類名】明細書
【補正対象項目名】全文
【補正方法】変更
【補正の内容】
【発明の詳細な説明】
【発明の名称】ディスク再生機
【技術分野】
【０００１】
本発明は、ディスクをターンテーブルとクランパとで挟持して再生を行なうディスク再生機に関する。
【背景技術】
【０００２】
特開２００３−２５７１０９号には、図７および図８に示すディスク再生機が開示されている。これは、ディスクＤ１をターンテーブル１００とクランパ１０１とで挟持してディスクＤ１の再生を行なうもので、クランパ１０１はクランパ支持部材１０２に回転自在に取付けられ、クランパ支持部材１０２を再生基板１０３に対して接近させてターンテーブル１００上のディスクＤ１にクランパ１０１を押付けるようにしている。
クランパ支持部材１０２は、制御板１０４の進退移動によって回動される。
【０００３】
また、このディスク再生機には、挿入されたディスクＤ１を検出する左右一対のディスクセンサ１０５，１０５が設けられており、一方のディスクセンサ１０５の近傍には可動部材１０６が配置されている。この可動部材１０６は、制御板１０４と連動するトリガレバー１０７に連結されている。
大径ディスクＤ１が挿入されると一対のディスクセンサ１０５，１０５がディスクに押されて左右に回動し、この回動により可動部材１０６がディスク挿入方向に移動する。ディスクＤ１はさらに挿入されてトリガレバー１０７を押し、トリガレバー１０７を回動させる。このトリガレバー１０７の回動により、制御板１０４がディスク挿入方向とは反対の方向に移動する。そして、制御板１０４の移動により、クランパ支持部材１０２を下方へ回動させ、クランパ１０１とターンテーブル１００とでディスクＤ１を挟持する。なお、小径ディスクを挿入したときは、ディスクセンサ１０５の回動量が少ないので可動部材１０６は移動せず小径ディスクがトリガレバー１０７を押し、大径ディスク挿入時と同様に制御板１０４を移動させることができる。
【特許文献１】特開２００３−２５７１０９号公報
【発明の開示】
【発明が解決しようとする課題】
【０００４】
特許文献１に示されるディスク再生機は、ターンテーブル１００を装備した再生基板１０３と、この再生基板１０３の一側面に進退自在に取付けられた制御板１０４と、再生基板１０３の後面側に設けられた左右一対の支持片に回動自在に取付けられクランパ１０１を回転自在に支持すると共に、一側部を前記制御板１０４に向けて延長させてその延長部の先端を制御板１０４に係合させ制御板１０４の進退移動によりクランパ１０１を前記ターンテーブル１００に対して離接させるクランパ支持部材１０２と、クランパ支持部材１０２の延長部と再生基板１０３との間に移動自在に配置された可動部材１０６とを具備している。
ところで、制御板１０４側の支持片を、制御板１０４の近傍に設置できれば良いが、各部品の形状や配置の都合上、制御板１０４から離れた位置に設置せざるを得ない場合もある。
このような場合、制御板１０４からクランパ支持部材１０２に作用する力によって、クランパ支持部材１０２には、制御板１０４との係合位置と、支持片との間においてたわみが生じ、特にクランパ１０１をターンテーブル１００に接近させたとき、クランパ支持部材１０２の一部が再生基板１０３上の可動部材１０６に接触してしまう恐れがある。このような接触を回避するために、クランパ支持部材１０２と可動部材１０６との間隔を充分にあけておくとすると、クランパ１０１をターンテーブル１００から離反させたときのクランパ支持部材１０２の高さ位置が高くなり、再生装置自体の厚さ寸法が大きくなってしまうため、ディスク再生機の薄型化（小型化）が困難であった。
【課題を解決するための手段】
【０００５】
後部に左右一対の支持片を有しターンテーブルを装備した再生基板と、前記一対の支持片に回動自在に取付けられ回動端部でクランパを回転自在に支持すると共に、側方に延長部を有するクランパ支持部材と、前記再生基板の一側面に取付けられてクランパ支持部材の延長部に係合し、進退移動時にクランパ支持部材を回動させてクランパをターンテーブルに対し離接させる制御板と、前記再生基板上に前記可動部材の延長部と重ねて配置された可動部材とを具備したディスク再生機において、
前記可動部材の近傍においてクランパ支持部材の延長部および再生基板のいずれか一方に相手方に向けて突出する突出部を設け、クランパとターンテーブルとでディスクを挟持した状態で突出部と相手方とをほぼ接触させてクランパ支持部材の延長部と可動部材との接触を防止した。
また、前記クランパ支持部材の延長部には、前記可動部材と重なる部位を局部的に該可動部材から離れる向きに押出し形成してなる逃げ部を設けてもよい。
さらに、前記突出部の先端を円弧とし、その円弧の曲率中心をクランパ支持部材の回動軸線上に設定してもよい。
【発明の効果】
【０００６】
本発明のディスク再生機によれば、クランパをディスク挟持位置に位置させた際にクランパ支持部材が可動部材に接触しそうになっても、その前に当接部が被当接部に当接して、クランパ支持部材と可動部材との接触を防止できる。したがって、クランパ支持部材を可動部材に限界まで接近させることができる。そのためクランパをターンテーブルから離反させた際のクランパ支持部材の高さ位置を低く抑えることができ、ディスク再生機の薄型化（小型化）が容易となる。
また、クランパ支持部材に逃げ部を設けると、クランパ支持部材を可動部材との接触を防止しながら一層再生基板に接近させることができ、その分、クランパをターンテーブルから離反した際のクランパ高さ位置をより低く抑えることができ、ディスク再生機の薄型化（小型化）が一層容易になる。
さらに、クランパ支持部材を再生基板に回動自在に装着し、当接部または被当接部の一方を相手方に向けて突出させ、かつ、その突出部の先端を円弧状先端面とし、その円弧状先端面の曲率中心をクランパ支持部材の回動軸線とほぼ一致させるようにすると、クランパ支持部材の回動を妨げることなく、突出部を相手方に常時ほぼ当接させることができ、可動部材近傍におけるクランパに対するたわみ等の変形を防止でき、クランパ支持部材と可動部材との接触を確実に防止できる。
【発明を実施するための最良の形態】
【０００７】
本発明のディスク再生機を図１〜図６を参照して説明する。図１はディスク再生機のメカニズム部分を示す斜視図で、ディスク再生機１には、仮想線で示す外シャーシ２の内部に図示しないダンパを介して再生基板３が組み込まれている。この再生基板３にはディスクＤを挿入する挿入口４が前端に設けられ、再生基板３の中央部にはターンテーブル５が装着されている。また再生基板３の一側面３ａには合成樹脂製の制御板６が進退自在に取付けられ、この制御板６にはクランク状の第一カム溝７及び第二カム溝６ａが形成されている。ターンテーブル５の上方には、ディスクＤをターンテーブル５との間で挟持するクランパ８が配置されている。このクランパ８は、クランパ支持部材９に回転自在に軸支され、クランパ支持部材９は再生基板３の後面３ｂ側に上下回動自在に支持されている。クランパ支持部材９には第一溝カム７に嵌合する係合突起９ａが形成され、制御板６が進退移動するとクランパ支持部材９が上下に回動して、クランパ８をターンテーブル５に対し離接させる。ディスク再生機１には、挿入口４とターンテーブル５との間にディスクＤを搬送する送りローラ１０（破線で示す）が取付けられている。
【０００８】
前記送りローラ１０は、挿入口４より挿入されたディスクＤをガイド１１に押付けるとともに、モータの回転によりディスクＤをターンテーブル５上に搬送する。ガイド１１は再生基板３の上面側に位置する支持板１２に取付けられている。この支持板１２には、ターンテーブル５の左右位置に上面方向に突出するカム１２ａと、舌片１２ｂとが形成されている。さらに支持板１２には、左右一対のディスクセンサ１４、１５が水平回動自在に取付けられている。これらのディスクセンサ１４、１５はディスクＤの外周を当接させる検出片１４a、１５aを有している。両ディスクセンサ１４、１５は、互いに連動して逆方向に回動するように連結板１６で連結されている。また、連結板１６と支持板１２との間にトーションバネ１７が掛け渡され、挿入口４の近傍に位置する両ディスクセンサ１４、１５の検出片１４a、１５aを互いに接近させる方向に付勢している。
【０００９】
さらにディスクセンサ１４の隣接位置には係止レバー１８が、支持板１２に中間部を回動自在に取付けられている。この係止レバー１８には、一端に一方のディスクセンサ１４のＵ字溝１４ｂに嵌合するピン１８a、他端にディスク搬送経路内に位置して搬送途中の大径ディスクの外周に摺接する図示しない摺接ピンが、それぞれ形成されている。そして係止レバー１８は、ピン１８aをＵ字溝１４ｂから離脱される方向に極めて弱いばねで回動付勢されている。この係止レバー１８は、大径ディスク挿入時に、Ｕ字溝１４ｂにピン１８aを嵌合させることにより、両ディスクセンサ１４、１５を回動した位置に係止する。一対のディスクセンサ１４、１５には、小径ディスクの中心がターンテーブル５の中心を僅かに越えて搬送されたとき、小径ディスクの外周を当接させるストッパ部２１が形成されている。小径ディスク挿入時にはピン１８ａがＵ字溝１４ｂに嵌合せず、小径ディスクは、このストッパ部２１に外周を当接させてセンタリングが行われる。
【００１０】
ストッパ部２１は、ターンテーブル５より再生基板３の後面３ｂ側に向かって延びる細長い薄板１４ｃ、１５ｃの先端に形成され、ターンテーブル５と再生基板３の後面３ｂとのほぼ中間に位置付けられている。前記ディスクセンサ１４、１５の回動により薄板１４ｃ、１５ｃの側面がカム１２ａの根元に接し、ディスクセンサ１４、１５がさらに回動すると、薄板１４ｃ、１５ｃが弾性変形しながらカム１２ａに乗り上げて行く。このときストッパ部２１の先端は、上方へ移動してディスク搬送経路から外れる。一方、ディスクセンサ１４、１５が回動しないときには、舌片１２ｂが薄板１４ｃ、１５ｃの上面に被さるようになる。舌片１２ｂは、小径ディスクがストッパ部２１に当接したとき、薄板１４ｃ、１５ｃの弾性変形を禁止する。これらのストッパ部２１はクランパ支持部材９の左右に対向配置されている。
【００１１】
一方のディスクセンサ１４には可動部材１９の一端が連結され、可動部材１９の他端はトリガレバー２０に連結されている。可動部材１９は挿入されたディスクＤの径によってトリガレバー２０の位置を異ならせるためのものであり、再生基板３上のクランパ支持部材９と重なる位置にあり、トリガレバー２０には、ディスク搬送経路内に位置する当接ピン２０ａと制御板６に係合する図示しない押圧ピンとが設けられる。この当接ピン２０ａがディスクＤの外周に押されると、トリガレバー２０が可動部材１９との連結部１９ａを中心に回動する。この回動でトリガレバー２０の押圧ピンは、制御板６を介して図示しない送りローラ解除機構を起動させる。
【００１２】
図１および図２に示すようにクランパ支持部材９は、ストッパ部２１との当接を避けるため、クランパ８を取付けた部分の両側を切欠いた略三角形の形状をしている。クランパ支持部材９はクランパ８を、回動端部となる略三角形の頂点部分で支持し、一方の側板９ｂに再生基板３の支持片３ｃの軸孔に嵌合する第一支軸９ｄを有し、他方の側板９ｃに係合突起９ａを有している。そして、一方の側板９ｂと他方の側板９ｃとの間に折曲部９ｋを有し、この折曲部９ｋに、再生基板３の支持片３ｄの軸孔に嵌合する第二支軸９ｆを有している。さらに、折曲部９ｋの基部から他方の側板９ｃの基部に至る延長部９ｍで、かつ、可動部材１９の近傍位置に、再生基板３に向けて折り曲げ形成された突出部９ｇを有し、この突出部９ｇの下端面を円弧９ｈとし、その円弧の曲率中心をクランパ支持部材９の回動軸線Ａ上に設定している。
この円弧９ｈは、再生基板３の、円弧９ｈに対向する部位９ｉに、クランパ支持部材９の回動位置いかんに関わらず、常時ほぼ接触している。
図２の如く、前記突出部９ｇは延長部９ｍの略中央に位置している。このように、突出部９ｇを配置すると、制御板６の作用によって延長部９ｍに発生するたわみ等の変形を効果的に防止でき、クランパ支持部材９と可動部材１９との接触を確実に防止できる。
クランパ支持部材９には、図１ないし図３に示すように、可動部材１９と重なる部位を局部的に該可動部材１９から離れる向きに押出し形成してなる逃げ部９ｊが設けられている。
【００１３】
図４は、ディスクＤがターンテーブル５上に搬送される初期の状態を示すもので、係合突起９ａが第一カム溝７の中にあり第一溝７ａの位置に位置し、クランパ８をターンテーブル５から離反させている。このときクランパ８の外周は外シャーシ２の接片２ｅに当接して水平状態を保たれている。
ディスクＤの搬送が進みディスクＤの中心がターンテーブル５の中心位置を僅かに過ぎると、ディスクＤの外周が図１で示した当接ピン２０ａに当接し、図４の如く、制御板６がディスクＤの挿入方向とは反対の方向に移動する。すると係合突起９ａが傾斜溝７ｃに移動して、クランパ支持部材９が回動しクランパ８をターンテーブル５に接近させるようになる。
図５はディスクＤがクランパ８によりターンテーブル５に押付けられた状態を示している。係合突起９ａは第一カム溝７の第一溝７ａから傾斜溝７ｃを通り、第二溝７ｂに嵌合している。よって、クランパ支持部材９は下方に回動してクランパ５をディスク挟持位置に保持している。
【００１４】
図６は、クランパ支持部材９が仮想線位置から実線位置に回動してクランパ５をディスク挟持位置に位置させた状態を示す。このとき、円弧９ｈが部位９ｉにほぼ接触しているので、クランパ支持部材９の逃げ部９ｊと可動部材１９との間には僅かな隙間を設けるだけでクランパ支持部材９と可動部材１９との接触を確実に防止できる。
【００１５】
ここに示した実施の形態ではクランパ支持部材９側の突出部９ｇを、再生基板３に向けて突出させるものとしたが、逆に再生基板３側に、クランパ支持部材９に向けて突出部を設けても良い。
【００１６】
また、突出部は回動軸線Ａから外れた位置に設定し、クランパ８とターンテーブル５とでディスクＤを挟持したときに突出部が再生基板３に当接して、クランパ支持部材９と可動部材１９との接触を回避できるようにしてもよい。
また、ディスクセンサ１４とトリガレバー２０とを連結する部材を可動部材１９として例示したが、可動部材１９としては、要は再生基板３上に移動自在に配置された部材であって、クランパ支持部材９の延長部９ｍと重なる位置にあるものであればよい。
【図面の簡単な説明】
【００１７】
【図１】ディスク再生機のメカニズム部分を示す斜視図
【図２】前記メカニズムの背面図
【図３】クランパ支持部材と可動部材との位置関係を示す平面図
【図４】ディスク搬送初期の状態を示す側面図
【図５】ディスク搬送終了時の状態を示す側面図
【図６】クランパ支持部材と可動部材との関係を一部を断面にして示す側面図
【図７】従来のディスク再生機のメカニズム部分を示す斜視図
【図８】同メカニズムの一部を示す平面図
【符号の説明】
【００１８】
３    再生基板
５    ターンテーブル
８    クランパ
９    クランパ支持部材
９ｇ  突出部
９ｈ  円弧
９ｉ  部位
９ｊ  逃げ部
９ｍ  延長部
１９  可動部材
Ａ    回動軸線
Ｄ    ディスク
【手続補正３】
【補正対象書類名】図面
【補正対象項目名】図２
【補正方法】変更
【補正の内容】
【図２】
2006092674.tif 000001